(57)【要約】【課題】インテリア性よく施工でき、しかも優れた吸音効果が得られ、さらに施工性がよい吸音パネル及びその製造方法を提供する。【解決手段】裏面側に複数本の裏溝１を穿設した矩形状の中板２の表面側に化粧板３を装着する。化粧板３の表面から中板２の裏溝１まで至る深さまで裏溝１と交叉する方向に複数本の模様溝４を穿設して模様溝４と上記裏溝１とを部分的に連通させる。矩形状に枠組みした枠体５を中板２の裏面側に装着すると共に枠体５内に吸音材６を装填する。【選択図】        図１
2004176366.tif 000002
【特許請求の範囲】
【請求項１】
裏面側に複数本の裏溝が穿設された中板の表面側に化粧板が装着され、化粧板の表面から上記裏溝と交叉する方向に複数本の模様溝が穿設されて模様溝と上記裏溝とが部分的に連通させられ、矩形状に枠組みした枠体が中板の裏面側に装着されると共に枠体内に吸音材が装填されたことを特徴とする吸音パネル。
【請求項２】
略全面に貫通穴が穿設された中板の表面側に化粧板が装着され、化粧板に模様溝が穿設されてこの模様溝と貫通穴とが連通させられ、矩形状に枠組みした枠体が中板の裏面側に装着されると共に枠体内に吸音材が装填されたことを特徴とする吸音パネル。
【請求項３】
裏面側に複数本の裏溝を穿設した矩形状の中板の表面側に化粧板を装着し、化粧板の表面から中板の裏溝まで至る深さまで裏溝と交叉する方向に複数本の模様溝を穿設して模様溝と上記裏溝とを部分的に連通させ、矩形状に枠組みした枠体を中板の裏面側に装着すると共に枠体内に吸音材を装填することを特徴とする吸音パネルの製造方法。
【請求項４】
略全面に貫通穴を穿設した中板の表面側に化粧板を装着し、化粧板の表面から中板まで至る深さまで複数本の模様溝を穿設してこの模様溝と貫通穴とを連通させ、矩形状に枠組みした枠体を中板の裏面に装着すると共に枠体内に吸音材を装填することを特徴とする吸音パネルの製造方法。
【発明の詳細な説明】
【０００１】
【発明の属する技術分野】
本発明は、防音室や寝室等の壁面や天井面に貼ったりすることで吸音性を持たせるのに使用される吸音パネル及びその製造方法に関するものである。
【０００２】
【従来の技術】
一般に部屋の壁面や天井面に貼って吸音性を持たせる場合、平板状の板に多数の吸音用の穴を多数穿孔した有穴ボードや、凹凸を有する凹凸板の凹部や凸部に吸音用の穴を多数穿孔した有穴ボード（例えば、特許文献１参照）が用いられていた。
【０００３】
【特許文献１】
特開平５−５１９８１号公報
【０００４】
【発明が解決しようとする課題】
近年、高気密高断熱住宅が多くなり、また床はフローリング、壁や天井は石膏ボードにクロス貼りの仕様が多く、居室は耳障りな反響過多傾向にあり、このような弊害をなくしたいという要望がある。
【０００５】
居室の壁面や天井に吸音建材を貼って吸音性を持たせる場合、居室に合った仕上げにしたいが、仕上げ材と一体となった吸音建材がないのが現状である。このような吸音建材があったとしても上記の従来の技術に記載した有穴ボード程度のものであり、このような有穴ボードで仕上げをした場合、インテリア性に劣るという問題がある。また有穴ボードのみでは吸音効果が殆どないためにグラスウール等の吸音材料を先に貼り、その上に有穴ボードを貼るという施工が必要となり、施工手間がかかるという問題があり、また壁仕上げ厚みが大きく（壁厚が５０〜３００ｍｍ）、居住面積が小さくなるという問題があった。
【０００６】
本発明は叙述の点に鑑みてなされたものであって、インテリア性よく施工でき、しかも優れた吸音効果が得られ、さらに施工性がよい吸音パネル及びその製造方法を提供するにある。
【０００７】
【課題を解決するための手段】
上記課題を解決するための本発明の請求項１の吸音パネルＡは、裏面側に複数本の裏溝１が穿設された中板２の表面側に化粧板３が装着され、化粧板３の表面から上記裏溝１と交叉する方向に複数本の模様溝４が穿設されて模様溝４と上記裏溝１とが部分的に連通させられ、矩形状に枠組みした枠体５が中板２の裏面に装着されると共に枠体５内に吸音材６が装填されたことを特徴とする。化粧板３、中板２、枠体５や吸音材６が一体に形成された吸音パネルＡであるためにこの吸音パネルＡを壁面や天井に貼るだけで施工できて施工が容易にできる。また表面が化粧板３で模様溝４が形成されているために外観がよくてインテリア性よく施工できる。また模様溝４と裏溝１とが連通しているために模様溝４から裏溝１を介して吸音材６に吸音されて優れた吸音効果が得られる。
【０００８】
また本発明の請求項２の吸音パネルＡは、略全面に貫通穴７が穿設された中板２の表面側に化粧板３が装着され、化粧板３に模様溝４が穿設されてこの模様溝４と貫通穴７とが連通させられ、矩形状に枠組みした枠体５が中板２の裏面側に装着されると共に枠体５内に吸音材６が装填されたことを特徴とする。化粧板３、中板２、枠体５や吸音材６が一体に形成された吸音パネルＡであるためにこの吸音パネルＡを壁面や天井に貼るだけで施工できて施工が容易にできる。また表面が化粧板３で模様溝４が形成されているために外観がよくてインテリア性よく施工できる。また模様溝４と貫通穴７とが連通しているために模様溝４から貫通穴７を介して吸音材６に吸音されて優れた吸音効果が得られる。
【０００９】
また本発明の請求項３の吸音パネルＡの製造方法は、裏面側に複数本の裏溝１を穿設した矩形状の中板２の表面側に化粧板３を装着し、化粧板３の表面から中板２の裏溝１まで至る深さまで裏溝１と交叉する方向に複数本の模様溝４を穿設して模様溝４と上記裏溝１とを部分的に連通させ、矩形状に枠組みした枠体５を中板２の裏面側に装着すると共に枠体５内に吸音材６を装填することを特徴とする。上記のように製造することにより、請求項１のような性能のよい吸音パネルＡを容易に製造できる。
【００１０】
また本発明の請求項４の吸音パネルＡの製造方法は、略全面に貫通穴７を穿設した中板２の表面側に化粧板３を装着し、化粧板３の表面から中板２まで至る深さまで複数本の模様溝４を穿設してこの模様溝４と貫通穴７とを連通させ、矩形状に枠組みした枠体５を中板２の裏面に装着すると共に枠体５内に吸音材６を装填することを特徴とする。上記のように製造することにより、請求項２のように性能のよい吸音パネルＡを容易に製造できる。
【００１１】
【発明の実施の形態】
先ず、図１乃至図６に示す例から述べる。吸音パネルＡは図１に示すように化粧板３、中板２、枠体５、吸音材６等にて形成され、一体に組み立てられている。化粧板３は長方形の板であり、表面に少なくとも化粧を施してある。中板２も長方形の板であり、中板２の裏面側には中板２の長手方向と直交する幅方向に長い裏溝１を幅方向に亙るように穿設してある。かかる裏溝１は中板２の長手方向の両端以外の部分に長手方向に等間隔に間隔を隔てて設けてある。中板２の長手方向の長さは化粧板３の長手方向の長さと同じであるが、中板２の幅は化粧板３の幅より小さくしてある。
【００１２】
中板２の表面側には化粧板３を貼り付けて装着されるのであるが、このとき、例えば、化粧板３の表面を下に向けた状態で化粧板３の裏面側の上に重ねるように中板２が装着される。実形成用板８は細長い板であり、実形成用板８の長さは化粧板３や中板２の長さと同じであり、実形成用板８の厚さは中板２の厚さと同じ厚さである。この実形成用板８は中板２の両側に配置し、化粧板３に貼り付けて装着してある。このように中板２と化粧板３を貼り合わせた状態で図２に示すように中板２の方が下になるように向け、丸鋸９のような工具にて化粧板３の表面から模様溝４を穿設する。この模様溝４は裏溝１と直交するように交叉する方向に穿設し、化粧板３の長手方向に亙って穿設する。模様溝４を穿設するとき、裏溝１に至る深さまで穿設し、模様溝４と裏溝１とを連通部１３を介して連通させる。
【００１３】
枠体５は一対の横枠材５ａと一対の縦枠材５ｂとを矩形状に枠組みして形成されており、さらに縦枠材５ｂ間に仕切り枠材５ｃを架設してある。この枠材５は図５に示すように中板２や実形成用板８の裏面側に配置し、これらに貼り合わせて装着してある。吸音材６は矩形板状に形成されており、この吸音材６を枠体５内に装填して一体化してある。かかる吸音材６は本例の場合、インシュレーションボートと称される軟質繊維板（密度０．３５ｇ／ｃｍ３未満）にて形成されている。このような軟質繊維板にて形成すると、吸音性以外に吸湿性もある。なお、上記例では化粧板３に中板２や実形成用板８を貼った後に化粧板３に模様溝４を穿設する溝加工を施したが、中板２や実形成用板８に枠体５を貼った後に模様溝４を穿設する溝加工を施しても構わない。
【００１４】
上記のように組み立てた状態で両側の縦枠材５ｂや実形成用板８に実加工が施されて図６（ａ）に示すように一方の側部に雌実１０が形成されると共に他方の側部に図６（ｂ）に示すように雄実１１が形成されて図３、図４に示すような吸音パネルＡが組み立てられる。このように形成された吸音パネルＡは化粧板３側が内側になるように向けて部屋の壁面や天井面に沿って貼り並べられ、隣合う吸音パネルは図６（ｃ）に示すように雌実１０と雄実１１の嵌合にて接続される。また上記のように構成せる吸音パネルＡの厚さは２０ｍｍ以内であり、壁仕上がり厚さが薄く居住空間が殆ど狭くなることがない。
【００１５】
次に図７乃至図９に示す例について述べる。この例の吸音パネルＡは図７に示すように化粧板３、中板２、枠体５、吸音材６等にて形成され、一体に組み立てられている。化粧板３は長方形の板であり、表面に少なくとも化粧を施してある。中板２も長方形の板であり、中板２には表裏に貫通する貫通穴７を周縁を除く全面に亙るように穿孔してある。この中板２の長手方向の長さは化粧板３の長手方向の長さと同じであるが、中板２の幅は化粧板３の幅よりやや大きくしてある。
【００１６】
中板２の表面側には化粧板３を貼り付けて装着してあるが、このとき、例えば、化粧板３の表面の下に向けた状態で化粧板３の裏面側の上に重ねるように中板２が装着される。このように中板２と化粧板３を貼り合わせた状態で中板２の方が下になるように向け、丸鋸９のような工具にて化粧板３の表面から模様溝４を穿設する。この模様溝４は化粧板３の長手方向と平行に化粧板３の長手方向に亙って穿設する。模様溝４を穿設するとき、中板２の表面に至る深さまで穿設し、模様溝４と貫通穴７とを連通部１３を介して連通させる。
【００１７】
枠体５は一対の横枠材５ａと一対の縦枠材５ｂとを矩形状に枠組みして形成されており、さらに縦枠材５ｂ間に仕切り枠材５ｃを架設してある。この枠体５はに示すように中板２の裏面側に配置し、これらに貼り合わせて装着してある。吸音材６は矩形板状に形成されており、この吸音材６を枠体５内に装填して一体化してある。かかる例の吸音材６も、インシュレーションボートと称される軟質繊維板（密度０．３５ｇ／ｃｍ３未満）にて形成されている。なお、上記例では化粧板３に中板２に貼った後に化粧板３に模様溝４を穿設する溝加工を施したが、中板２に枠体５を貼った後に模様溝４を穿設する溝加工を施しても構わない。
【００１８】
上記のように組み立てた状態で両側の縦枠材５ｂや中板２の両側に実加工が施されて一方の側部に雌実１０が形成されると共に他方の側部に雄実１１が形成されて図８に示すような吸音パネルＡが組み立てられる。このように形成された吸音パネルＡは化粧板３側が内側になるように向けて部屋の壁面や天井面に沿って貼り並べられ、隣合う吸音パネルは図９に示すように雌実１０と雄実１１の嵌合にて接続される。
【００１９】
図１０は吸音パネルＡを施工した状態である。図１０（ａ）は模様溝４が垂直向を向くように右側の壁面の全面に吸音パネルＡを貼ってある。図１０（ｂ）は模様溝４が垂直方向に向くように左右の壁面に貼ってあるが、水平方向に間隔を隔てるように間欠的に吸音パネルＡを貼ってある。図１０（ｃ）は模様溝４が水平方向を向くように右側の壁面に貼ってあるが、上下方向に間隔を隔てるように間欠的に吸音パネルＡを貼ってある。図１０（ｄ）は模様溝４が水平方向を向くように右側の壁面に貼ってあるが、右側の壁面の全面に亙って吸音パネルＡを貼ってある。図１０（ｅ）は天井面に全面に亙るように吸音パネルＡを貼ってある。図１０（ｆ）は天井面に間欠的に吸音パネルＡを貼ってある。上記の施工の例は施工の一例であり、その他種々の施工の仕方があることはいうまでもない。
【００２０】
なお、吸音パネルＡは壁面や天井面の下地の上に貼り並べて施工しても、既設の壁面や天井面の仕上げ面の上に貼り並べて改装するように施工しても、また壁面や天井面を形成する壁材や天井材として施工してもよい。なおまた、上記例ででは模様溝４を化粧板３の長手方向に亙って設けてあるが、この模様溝４は長手方向の両端を除く部分に穿設してあっても、長手方向に間欠的に設けてあってもよい。
【００２１】
図１１は本発明の吸音パネルＡの吸音性能を説明するグラフであり、縦軸に残響室法吸音率を示し、横軸に周波数を示す。このグラフで符号αに示す線は図１乃至図６に示す実施の形態で述べた吸音パネルＡの構造を採用したサンプルの性能を示す。このサンプルは図１２（ａ）（ｂ）に示すように厚さ１０ｍｍの合板ａの裏側に幅ｂが８ｍｍの裏溝１を穿設し、合板ａの表面から裏溝１に連通する模様溝４を間隔ｃが２５ｍｍになるように穿設してあり、その裏に厚さが９ｍｍのインシュレーションボードｅを貼ってある。このサンプルの平均吸音率は０．４８５と高かった。またこのグラフで符号βに示す線は図７乃至図９の実施の形態で述べた吸音パネルＡの構造を採用したサンプルの性能を示す。このサンプルは図１２（ｃ）に示すうように厚さ５．５ｍｍの合板ｆの裏に厚さ５．５ｍｍの有穴ボードｇを積層すると共に有穴ボードｇの裏側に厚さ９ｍｍのインシュレーションボードｅと裏棧合板ｉを積層し、合板ｆに模様溝４を間隔ｈが２５ｍｍになるように穿設して模様溝４を有穴ボードｇの貫通穴７に連通させてある。このサンプルの平均吸音率は０．４５５と高かった。またこのグラフで符号γに示す線は比較のための厚さ９．５ｍｍの石膏ボードの性能を示し、この平均吸音率は０．０６８と低かった。
【００２２】
【発明の効果】
本発明の請求項１の発明は、裏面側に複数本の裏溝が穿設された中板の表面側に化粧板が装着され、化粧板の表面から上記裏溝と交叉する方向に複数本の模様溝が穿設されて模様溝と上記裏溝とが部分的に連通させられ、矩形状に枠組みした枠体が中板の裏面に装着されると共に枠体内に吸音材が装填されたものであって、化粧板、中板、枠体や吸音材が一体に形成された吸音パネルであるためにこの吸音パネルを壁面や天井に貼るだけで施工できて施工が容易にできるものであり、しかも表面が化粧板で模様溝が形成されているために外観がよくてインテリア性よく施工できるものであり、さらに模様溝と裏溝とが連通しているために模様溝から裏溝を介して吸音材に吸音されて優れた吸音効果が得られるものである。
【００２３】
また本発明の請求項２の発明は、略全面に貫通穴が穿設された中板の表面側に化粧板が装着され、化粧板に模様溝が穿設されてこの模様溝と貫通穴とが連通させられ、矩形状に枠組みした枠体が中板の裏面側に装着されると共に枠体内に吸音材が装填されたものであって、化粧板、中板、枠体や吸音材が一体に形成された吸音パネルであるためにこの吸音パネルを壁面や天井に貼るだけで施工できて施工が容易にできるものであり、しかも表面が化粧板で模様溝が形成されているために外観がよくてインテリア性よく施工できるものであり、さらに模様溝と貫通穴とが連通しているために模様溝から貫通穴を介して吸音材に吸音されて優れた吸音効果が得られるものである。
【００２４】
また本発明の請求項３の発明は、裏面側に複数本の裏溝を穿設した矩形状の中板の表面側に化粧板を装着し、化粧板の表面から中板の裏溝まで至る深さまで裏溝と交叉する方向に複数本の模様溝を穿設して模様溝と上記裏溝とを部分的に連通させ、矩形状に枠組みした枠体を中板の裏面側に装着すると共に枠体内に吸音材を装填するので、このように製造することにより、請求項１のような性能のよい吸音パネルを容易に製造できるものである。
【００２５】
また本発明の請求項４の発明は、略全面に貫通穴を穿設した中板の表面側に化粧板を装着し、化粧板の表面から中板まで至る深さまで複数本の模様溝を穿設してこの模様溝と貫通穴とを連通させ、矩形状に枠組みした枠体を中板の裏面に装着すると共に枠体内に吸音材を装填するので、このように製造することにより、請求項２のように性能のよい吸音パネルを容易に製造できるものである。
【図面の簡単な説明】
【図１】本発明の実施の形態の一例の吸音パネルの分解斜視図である。
【図２】同上の模様溝を穿設する状態を示す斜視図である。
【図３】同上の吸音パネルを示し、（ａ）は平面図、（ｂ）は（ａ）の側面図、（ｃ）は底面図、（ｄ）は（ｃ）の側面図である。
【図４】同上の吸音パネルを拡大した状態を示し、（ａ）は平面図、（ｂ）は断面図である。
【図５】同上の吸音パネルを組み立てる途中の中板に枠体を装着した状態を示し、（ａ）は平面図、（ｂ）は一部切欠拡大断面図である。
【図６】同上の実部を示し、（ａ）は雌実部分を拡大した断面図、（ｂ）は雄実部分を拡大した断面図、（ｃ）は雌実と雄実を嵌合して接続した状態の断面図である。
【図７】同上の他の例の吸音パネルの分解斜視図である。
【図８】同上の吸音パネルの組み立てた状態であって、（ａ）は平面図、（ｂ）は断面図である。
【図９】同上の吸音パネルを接続した状態であって、（ａ）は平面図、（ｂ）は断面図である。
【図１０】同上の吸音パネルの施工状態を示し、（ａ）乃至（ｆ）は夫々異なる施工例を示す一点透視図である。
【図１１】同上の性能を説明するグラフである。
【図１２】（ａ）は性能試験した一例のサンプルを示す平面図、（ｂ）は（ａ）の断面図、（ｃ）は性能試験した他の例のサンプルを示す断面図である。
【符号の説明】
Ａ  吸音パネル
１  裏溝
２  中板
３  化粧板
４  模様溝
５  枠体
６  吸音材
７  貫通穴
【図１】
2004176366.tif 000003
【図２】
2004176366.tif 000004
【図３】
2004176366.tif 000005
【図４】
2004176366.tif 000006
【図５】
2004176366.tif 000007
【図６】
2004176366.tif 000008
【図７】
2004176366.tif 000009
【図８】
2004176366.tif 000010
【図９】
2004176366.tif 000011
【図１０】
2004176366.tif 000012
【図１１】
2004176366.tif 000013
【図１２】
2004176366.tif 000014